(57)【要約】      （修正有）【課題】睡眠中に首の均衡を楽に維持するのはもちろんのこと、使用者が横向きで睡眠するときにも快適さを感じるようにする枕を提供する。【解決手段】六面体の胴体１１１、胴体の中心部に陷沒した形状に形成されて頭を支える頭支持部１１２、頭支持部の左右側に位置するように形成され、横向きで眠る使用者の頭側面部を支えるように形成される左右側突出部１１３、１１４を含むブロック状を有するスポンジ本体１１０と、スポンジ本体の内側に設けられ、自然な香りを出すように構成される香りポケット１２０と、スポンジ本体を全部取り囲むように形成されてスポンジ本体を仕上げる枕カバー１３０とを含んでなる。【選択図】図２
0003235304.tif 000002
【実用新案登録請求の範囲】
【請求項１】
六面体の胴体、前記胴体の中心部に陷沒した形状に形成されて頭を支える頭支持部、前記頭支持部の左右側に位置するように形成され、横向きで眠る使用者の頭側面部を支えるように形成される左右側突出部を含むブロック状を有するスポンジ本体と、
前記スポンジ本体の内側に設けられ、自然な香りを出すように構成される香りポケットと、
前記スポンジ本体全体を取り囲むように形成されて前記スポンジ本体を仕上げる枕カバーとを含んでなることを特徴とする、枕。
【請求項２】
前記頭支持部の内側には直方体形の内部空間部が形成され、前記香りポケットを保管するように構成されることを特徴とする、請求項１に記載の枕。
【請求項３】
前記左右側突出部のいずれか一方は高さが高く、他方は高さが低いように形成されることを特徴とする、請求項１に記載の枕。
【請求項４】
前記スポンジ本体はその胴体の前面が傾斜面を有するように形成されることを特徴とする、請求項１に記載の枕。
【請求項５】
前記枕カバーの側面には保管ポケットが形成され、その内部に補助電灯を収容することを特徴とする、請求項１に記載の枕。
【請求項６】
前記スポンジ本体の左右側突出部の一突出部は、分離可能に形成され、前記枕カバーとともに回転可能に形成される回転突出部として構成され、
使用者の選択によって回転突出部が枕の側方に回転して二人以上の人が使えるように構成されることを特徴とする、請求項１に記載の枕。
【請求項７】
スポンジ本体において、頭支持部及び左右側突出部の上端には曲線形のラウンド部が形成されることを特徴とする、請求項１に記載の枕。
【請求項８】
前記枕カバーの一側前部には補助引き出しが設けられ、補助引き出しの前面には枕を持って運ぶための運搬取っ手が設けられることを特徴とする、請求項１に記載の枕。
【考案の詳細な説明】
【技術分野】
【０００１】
本考案は枕に関し、より詳しくは睡眠中に首の均衡を楽に維持するのはもちろんのこと、使用者が横向きで睡眠するときにも楽さを感じるようにする枕に関する。
【背景技術】
【０００２】
一般に、枕が余りにふかふかしていれば、頚椎を支えることができなくて首が過度の負荷を受け、通気性が低下し、枕が余りに硬ければ、神経が押されて血管が細くなって血液循環の邪魔になる。また、化学繊維から製作された枕は身体の拒否反応によって身体の調節機能を失うことになる。
【０００３】
一方、木から製作された枕である木枕は木の感触が冷ややかながらも体温を持続的に維持するので、眠るか休むときに多く使われ、木の自然的な柄と木の特有の香り及び安らかさによって使用者の拒否感がなく親和力が良い。
【０００４】
しかし、従来の木枕は半球状に形成されて首部位のみ支持するので、首の均衡を正しく維持することができなく、頚椎に過度な圧力をかけて椎骨動脈を圧迫するから、血流障害によって不眠症、頭痛、疲労感などが増加し、血流不足によって貧血、めまいなどが発生する。
【０００５】
また、使用者の身体条件がそれぞれ異なるため、使用者の体形に適したオーダーメード型木枕又は枕が切実に要求されている。
【先行技術文献】
【特許文献】
【０００６】
【特許文献１】韓国登録特許第１０−１３３９５４７号公報
【特許文献２】韓国登録実用新案第２０−０４０２６２７号公報
【考案の概要】
【考案が解決しようとする課題】
【０００７】
したがって、前述したような従来の問題点を解決するための本考案の目的は、睡眠中に首の均衡が正しく維持されるようにし、身体の均衡を正しく維持することにより快適な睡眠を取るようにすることにある。
【０００８】
本考案の他の目的は、睡眠中に使用者が仰向けや横向きで睡眠を取るときにも枕による不便さなしに睡眠を取るようにする枕を提供することにある。
【０００９】
本考案のさらに他の目的は、枕に睡眠補助機能を提供して、使用者が睡眠から覚めたとき、補助電灯をすぐ使えるようにして枕を便利に使うことができるようにすることにある。
【課題を解決するための手段】
【００１０】
本考案は、上述した目的を達成するために、六面体の胴体、前記胴体の中心部に陷沒した形状に形成されて頭を支える頭支持部、前記頭支持部の左右側に位置するように形成され、横向きで眠る使用者の頭側面部を支えるように形成される左右側突出部を含むブロック状を有するスポンジ本体と、前記スポンジ本体の内側に設けられ、自然な香りを出すように構成される香りポケットと、前記スポンジ本体を全部取り囲むように形成されて前記スポンジ本体を仕上げる枕カバーとを含んでなることを特徴とする枕を提供する。
【００１１】
前記頭支持部の内側には直方体形の内部空間部が形成され、前記香りポケットを保管するように構成されることができる。
【００１２】
また、前記左右側突出部のいずれか一方は高さが高く、他方は高さが低いように形成されることができる。
【００１３】
また、前記スポンジ本体はその胴体の前面が傾斜面を有するように形成されることができる。
【００１４】
また、前記枕カバーの側面には保管ポケットが形成され、その内部に補助電灯を収容することができる。
【００１５】
前記スポンジ本体の左右側突出部の一突出部は、分離可能に形成され、前記枕カバーとともに回転可能に形成される回転突出部として構成され、使用者の選択によって回転突出部が枕の側方に回転して二人以上の人が使えるように構成されることができる。
【００１６】
また、スポンジ本体において、頭支持部及び左右側突出部の上端には曲線形のラウンド部が形成されることができる。
【００１７】
また、前記枕カバーの一側前部には補助引き出しが設けられ、補助引き出しの前面には枕を持って運ぶための運搬取っ手が設けられることができる。
【考案の効果】
【００１８】
本考案は睡眠中に首の均衡を正しく維持して身体の均衡を正しく維持することにより快適な睡眠を取るようにする枕を提供することができる。
【００１９】
また、本考案は、睡眠中に使用者が仰向けや横向きで睡眠を取るときにも枕による不便さなしに睡眠を取るようにする枕を提供することができる。
【００２０】
また、本考案は、枕に睡眠補助機能を提供して、使用者が睡眠から覚めたとき、補助電灯をすぐ使えるようにして便利さを一緒に提供することができる。
【図面の簡単な説明】
【００２１】
【図１】本考案による枕の設置状態を示す全体斜視図である。
【図２】本考案による枕を示す全体分解斜視図である。
【図３】本考案による枕を示す縦断面図である。
【図４】本考案による枕の使用状態を示す側面図である。
【図５】本考案の他の実施例による枕の一部が回転可能に形成された枕を示す斜視図である。
【図６】図５の使用状態を示すもので、枕の回転突出部のそれぞれ異なる形態を示す側面図である。
【図７】本考案のさらに他の実施例による枕の上端部にラウンド部が形成された枕を示す斜視図である。
【図８】本考案のさらに他の実施例による枕の前方一側に補助引き出し及び運搬取っ手が設けられた枕を示す斜視図である。
【考案を実施するための形態】
【００２２】
本考案は以下で開示する実施例に限定されるものではなく、相異なる多様な形態に具現可能である。ただ、本実施例は本考案の開示を完全にして通常の知識を有する者に考案の範疇を完全に知らせるために提供するものである。
【００２３】
以下、本考案の好適な実施例を添付図面に基づいて詳細に説明する。まず、各図の構成要素に参照符号を付け加えるにあたり、同じ構成要素に対してはたとえ他の図に表示されてもできるだけ同じ符号をつけることに留意しなければならない。また、本考案の説明において、関連した公知の構成又は機能についての具体的な説明が本考案の要旨をあいまいにする可能性があると判断される場合にはその詳細な説明を省略する。
【００２４】
図１〜図８は本考案の実施例による枕を示す図である。
【００２５】
図１〜図４を参照すると、本考案による枕１００は、枕を成すスポンジ本体１１０と、枕に設けられ、睡眠中に仄かな香りを発散する香りポケット１２０と、前記スポンジ本体を取り囲むように構成される枕カバー１３０とを含んでなる。
【００２６】
前記スポンジ本体１１０は、六面体の胴体１１１と、前記胴体１１１の中心部に陷沒した形状に形成されて人頭Ｐを支える頭支持部１１２と、前記頭支持部１１２の左右側に位置するように形成され、横向きで眠る使用者の頭側面部を支える左右側突出部１１３、１１４とを含むブロック状に構成されることができる。
【００２７】
また、前記頭支持部１１２の内側には直方体状の内部空間部１１２ａが形成されて前記香りポケット１２０を保管する保管場所の役割を果たすように構成されることができる。
【００２８】
また、前記左右側突出部１１３、１１４の構成において、いずれか一方は高さが高く、他方は高さが低いように形成されることができる。
【００２９】
好ましくは、前記左右側突出部１１３、１１４が高さ差を成すように構成されることができ、使用者が横向きで睡眠を取る場合、人の体形によって肩幅がそれぞれ異なることができる。したがって、使用者が横向きで眠る場合、使用者の肩幅に合わせて高さを補償する構造を提供することにより、横向きに横たわって眠る睡眠者の楽さを維持することができる。
【００３０】
また、睡眠者が頭支持部１１２に頭部を当てて眠る場合には、前記頭支持部１１２の左右側に位置する左右側突出部１１３、１１４によって左右への偏りなしに楽に睡眠を維持することができる。
【００３１】
また、前記スポンジ本体１１０は、胴体１１１の前部に傾斜面１１５が形成されることができる。これは、睡眠時に枕底の面積を増やす構造を提供することにより、枕が底で押されることを防止するためである。
【００３２】
また、前記スポンジ本体１１０の内側の内部空間部１１２ａには自然な香りを出す香りポケット１２０を備えることができる。
【００３３】
ここで、前記香りポケット１２０には多数の内容物１２１を充填して使うことができる。好ましくは、前記内容物はヒノキの木切れのように多様な種類の香りを発散する製品からなることができる。
【００３４】
一方、前記スポンジ本体１１０を全部取り囲むように形成されて前記スポンジ本体１１０を仕上げる枕カバー１３０を備えることができる。
【００３５】
前記枕カバー１３０はスポンジ本体１１０を取り囲むように仕上げるものであり、布地のような枕カバーの役割を果たすことができる構造を有すれば充分である。
【００３６】
好ましくは、前記枕カバーの一側面には、ボタン、ジッパー、ベルクロ（登録商標）などの多様な形態のものを提供することができる。
【００３７】
また、前記枕カバー１３０の側面には保管ポケット１３１が設けられ、その内部に補助電灯１３２を備えることができる。
【００３８】
ここで、前記補助電灯を保管することにより、睡眠を終えた使用者が寝床から起きる場合、暗い部屋で手軽く点灯することができる生活の便利さを提供することができる。場合によっては、携帯電話のような生活用品などを保管して使うことができる。
【００３９】
一方、図６のａ）及びｂ）を参照すると、前記スポンジ本体１１０の左右側突出部のうち、一突出部は分離可能に形成され、前記枕カバーとともに回転することができるように形成される回転突出部１１７として構成され、使用者の選択によって回転突出部１１７を枕の側方に回転させて二人以上の人Ｐが使えるように構成されることができる。
【００４０】
また、左右側突出部の両者を回転突出部１１７、１１７’に構成し、枕の側方に両者を回転させて二人以上の人が使うこともできる。
【００４１】
すなわち、枕の中央は人が仰向けで睡眠する場合に使い、二人が睡眠を取るときには突出した回転突出部１１７を選択的に回転させて枕を広げて使うことができる。
【００４２】
一方、図７は本考案の他の実施例による枕の上端部にラウンド部が形成されたものを示す斜視図である。スポンジ本体１１０の構成において、頭支持部１１２と左右側突出部１１３、１１４又は回転突出部１１７はその上端に曲線形のラウンド部Ｒを備えることもできる。これにより、枕使用者の頭部及び首部の左右移動による自然な移動と快適な姿勢を誘導することができる。
【００４３】
図８は本考案のさらに他の実施例による枕の前方一側に補助引き出し及び運搬取っ手が設けられたものを示す斜視図である。
【００４４】
前記枕カバーの構成において、前記枕カバー１３０の一側前部には補助引き出し１４０が設けられ、補助引き出し１４０の前面には枕を持って運ぶための運搬取っ手１５０がさらに設けられることができる。したがって、補助引き出し１４０には使用者の背中を掻く道具のような生活道具を備えることができ、運搬取っ手１５０によって枕の携帯及び移動に便利さを提供することができる。
【００４５】
以下、本考案の枕の構成による作用効果を説明する。以下の説明は前記構造の説明に基づいて開示する。
【００４６】
まず、使用者は前記胴体１１１の中心部に陷沒するように形成された頭支持部１１２に頭部を載せて仰向けで睡眠を取る。
【００４７】
次に、時間が経つにつれて使用者が横向きで睡眠を取る場合、前記頭支持部１１２の左右側に位置する左右側突出部１１３、１１４を用いて横向きで就寝することができる。
【００４８】
ここで、使用者が横向きで眠る場合、使用者の肩幅に合わせて左右側突出部１１３、１１４のいずれか一突出部に当てて楽に睡眠を取ることができる。
【００４９】
最終に、スポンジ本体１１０に収納された香りポケット１２０により、枕を用いて睡眠するとき、ヒノキのような仄かな香りを発散して安定的でさわやかな睡眠を誘導する機能を一緒に提供することができる。
【００５０】
好ましくは、前記枕カバー１３０の側面の保管ポケット１３１に携帯電話、電灯のような生活用品を備えることにより、睡眠の前又は後に生活の便利さを一緒に提供することができる。
【００５１】
以上のように、本考案による枕は睡眠中に首の均衡を正しく維持して身体の均衡を正しく維持することにより、快適な睡眠を取ることができるだけでなく、使用者が仰向けで睡眠を取ったり横向きで睡眠を取るときにも枕による不便さなしに睡眠を取ることができる枕を提供することができる。
【００５２】
本考案は以上で好適な実施例に基づいて示して説明したが、本考案は前述した実施例に限定されず、本考案の精神を逸脱しない範疇内で本考案が属する技術分野で通常の知識を有する者によって本考案の技術思想及び次に開示する実用新案登録請求の範囲の範囲と均等な範囲内で多様な修正及び変形が可能であるというのは言うまでもない。
【符号の説明】
【００５３】
１００    枕
１１０    スポンジ本体
１１１    胴体
１１２    頭支持部
１１３、１１４    左右側突出部
１１５    傾斜面
１１７、１１７’    回転突出部
１２０    香りポケット
１３０    枕カバー
１３１    保管ポケット
１３２    補助電灯
１４０    補助引き出し
１５０    運搬取っ手
【図１】
0003235304.tif 000003
【図２】
0003235304.tif 000004
【図３】
0003235304.tif 000005
【図４】
0003235304.tif 000006
【図５】
0003235304.tif 000007
【図６】
0003235304.tif 000008
【図７】
0003235304.tif 000009
【図８】
0003235304.tif 000010